(57)【要約】【課題】開閉部材を円滑に開放位置に移動させることができると共に確実に開放位置で保持することができ、また、遊技店毎に異なる玉箱が導入されていても問題なく対応することができ、さらに、コイン等の異物混入防止の対策をとることにより故障の要因を取り除くことができる遊技機の球貯留皿を提供する。【解決手段】開閉部材２１を付勢手段４０の付勢力に抗して開放方向に移動させると、開閉部材２１の突出部２３が収納部材３０の傾斜部３４に摺接しつつ案内されると共に、開閉部材２１全体がガイド部材１４に沿って案内された後、突出部２３が前記段部３５に落ち込み係合すると共に、開閉部材２１の係止部２４が収納部材３０の被係合部３６に係合する。【選択図】図１
2008005945.tif 000002
【特許請求の範囲】
【請求項１】
遊技球を貯留し底面部に遊技球を抜き取る球抜き穴が形成された受け皿と、該受け皿の下側に配設されて前記球抜き穴を開閉する開閉装置とを備え、該開閉装置は、前記受け皿の底面部下方に配されて前記球抜き穴を開閉可能な開閉部材と、該開閉部材を開閉方向へ摺動自在に収納すると共に、該開閉部材が開放位置にある時に前記球抜き穴に連通する開口部が形成された収納部材と、該収納部材内にて前記開閉部材を閉鎖方向へ付勢する付勢手段とを有して成る遊技機の球貯留皿において、
前記受け皿の底面部の下方裏面側に、前記開閉部材の開閉方向に延びて該開閉部材の上部が摺接しつつ案内されるガイド部材を設け、
前記開閉部材の下部に突出部を設ける一方、前記収納部材の底面側に、前記突出部が摺接しつつ開放方向に向かって少なくとも途中までは上方に案内される傾斜部を設けると共に、該傾斜部の末端側に下方へ凹む段部を形成し、
前記開閉部材を前記付勢手段の付勢力に抗して開放方向に移動させると、前記突出部が前記傾斜部に摺接しつつ案内されると共に、前記開閉部材全体が前記ガイド部材に沿って案内された後、前記突出部が前記段部に落ち込み係合することにより、前記開閉部材が前記付勢手段の付勢力に抗して開放位置に保持されることを特徴とする遊技機の球貯留皿。
【請求項２】
遊技球を貯留し底面部に遊技球を抜き取る球抜き穴が形成された受け皿と、該受け皿の下側に配設されて前記球抜き穴を開閉する開閉装置とを備え、該開閉装置は、前記受け皿の底面部下方に配されて前記球抜き穴を開閉可能な開閉部材と、該開閉部材を開閉方向へ摺動自在に収納すると共に、該開閉部材が開放位置にある時に前記球抜き穴に連通する開口部が形成された収納部材と、該収納部材内にて前記開閉部材を閉鎖方向へ付勢する付勢手段とを有して成る遊技機の球貯留皿において、
前記受け皿の底面部の下方裏面側に、前記開閉部材の開閉方向に延びて該開閉部材の上部が摺接しつつ案内されるガイド部材を設け、
前記開閉部材に係止部を設ける一方、前記収納部材に前記係止部が係脱可能な被係合部を設け、
前記開閉部材を前記付勢手段の付勢力に抗して開放方向に移動させると、前記開閉部材全体が前記ガイド部材に沿って案内された後、前記係止部が前記被係合部に係合することにより、前記開閉部材が前記付勢手段の付勢力に抗して開放位置に保持されることを特徴とする遊技機の球貯留皿。
【請求項３】
遊技球を貯留し底面部に遊技球を抜き取る球抜き穴が形成された受け皿と、該受け皿の下側に配設されて前記球抜き穴を開閉する開閉装置とを備え、該開閉装置は、前記受け皿の底面部下方に配されて前記球抜き穴を開閉可能な開閉部材と、該開閉部材を開閉方向へ摺動自在に収納すると共に、該開閉部材が開放位置にある時に前記球抜き穴に連通する開口部が形成された収納部材と、該収納部材内にて前記開閉部材を閉鎖方向へ付勢する付勢手段とを有して成る遊技機の球貯留皿において、
前記受け皿の底面部の下方裏面側に、前記開閉部材の開閉方向に延びて該開閉部材の上部が摺接しつつ案内されるガイド部材を設け、
前記開閉部材の下部に突出部を設ける一方、前記収納部材の底面側に、前記突出部が摺接しつつ開放方向に向かって少なくとも途中までは上方に案内される傾斜部を設けると共に、該傾斜部の末端側に下方へ凹む段部を形成し、
前記開閉部材に係止部を設ける一方、前記収納部材に前記係止部が係脱可能な被係合部を設け、
前記開閉部材を前記付勢手段の付勢力に抗して開放方向に移動させると、前記突出部が前記傾斜部に摺接しつつ案内されると共に、前記開閉部材全体が前記ガイド部材に沿って案内された後、前記突出部が前記段部に落ち込み係合すると共に、前記係止部が前記被係合部に係合することにより、前記開閉部材が前記付勢手段の付勢力に抗して開放位置に保持されることを特徴とする遊技機の球貯留皿。
【請求項４】
前記被係合部に、前記係止部を離脱させる方向へ案内するための傾斜を設けたことを特徴とする請求項２または３に記載の遊技機の球貯留皿。
【請求項５】
前記開閉部材の下部のうち、前記突出部が前記傾斜部の最大高さ位置に乗り上げた時に前記収納部材の底面側に当接する部位に、重なり高さを減じるための傾斜を設けたことを特徴とする請求項１または３に記載の遊技機の球貯留皿。
【請求項６】
前記収納部材の上部にて前記開口部の周辺に、前記球抜き穴と前記開口部との隙間からの異物混入を防ぐための障壁部を設けたことを特徴とする請求項１，２，３，４または５に記載の遊技機の球貯留皿。
【請求項７】
前記障壁部の少なくとも一部は、前記収納部材の上部を前記受け皿の底面部の下方裏面側に取り付けるためのネジ止め部から成ることを特徴とする請求項６に記載の遊技機の球貯留皿。
【請求項８】
前記開閉部材にて前記開口部に位置する裏面側に、該裏面側と前記開口部との隙間からの異物混入を防ぐための障壁部を設けたことを特徴とする請求項１，２，３，４，５，６または７に記載の遊技機の球貯留皿。
【請求項９】
前記開閉部材に、前記収納部材の外側に延出して外部からの操作力を受け入れるノブを設け、
前記ノブを、前記開閉部材の開閉方向、および前記開閉部材が開放位置に保持された状態から離脱する係合解除方向へ移動可能に配したことを特徴とする請求項１，２，３，４，５，６，７または８に記載の遊技機の球貯留皿。
【発明の詳細な説明】
【技術分野】
【０００１】
本発明は、遊技球を貯留し底面部に遊技球を抜き取る球抜き穴が形成された受け皿と、該受け皿の下側に配設されて前記球抜き穴を開閉する開閉装置とを備え、該開閉装置は、前記受け皿の底面部下方に配されて前記球抜き穴を開閉可能な開閉部材と、該開閉部材を開閉方向へ摺動自在に収納すると共に、該開閉部材が開放位置にある時に前記球抜き穴に連通する開口部が形成された収納部材と、該収納部材内にて前記開閉部材を閉鎖方向へ付勢する付勢手段とを有して成る遊技機の球貯留皿に関する。
【背景技術】
【０００２】
従来、この種の遊技機における球貯留皿としては、球貯留皿の底壁であり、かつ球抜き穴の傍に円穴を穿設し、円穴は開閉部材が球抜き穴を閉じる閉鎖位置にある時、球貯留皿内の遊技球が落入しないように塞がれており、開閉部材が球抜き穴を開放する位置に摺動されると開口して、球貯留皿内の遊技球が落入し得るようになっており、円穴に落入する遊技球を介して開閉部材を球抜き穴を開放する位置に停止保持させるようにした球貯留皿が知られている（例えば、特許文献１参照。）。
【０００３】
また、球貯留皿の開閉部材が開放状態にある時、この開閉部材に設ける被係合部の位置に対応させた係止手段を備え、常には該係止手段をバネ力若しくは自重によって被係合部の位置から離反せしめる一方、前記球抜き穴の下方に玉箱を臨ませた時には、玉箱によって係止手段を押圧し開閉部材の被係合部との係合を可能にして、開閉部材を開放状態に維持できるようにした球貯留皿も知られている（例えば、特許文献２参照。）。
【０００４】
【特許文献１】特許第２９５７３７９号公報
【特許文献２】特許第２６４０８３３号公報
【発明の開示】
【発明が解決しようとする課題】
【０００５】
しかしながら、前述したような特許文献１に記載の球貯留皿では、円穴に遊技球が落入しなければ、開閉部材を開放する位置に停止保持することができず、必ずしも円穴に遊技球が落入するわけではないので、確実かつ円滑に開閉部材を開放位置に保持することができないという問題点があった。
【０００６】
また、特許文献２に記載の球貯留皿は、玉箱によって係止手段を押下して開閉部材を開放状態に維持するものであるから、遊技店によって玉箱の形状が異なる（遊技球が入る量により高さや横幅が異なる）ため、係止手段を押下できない玉箱を導入している遊技店では、開閉部材を開放状態に維持することができないという問題点があった。
【０００７】
さらに、何れの文献に記載の球貯留皿においても、球抜き機構内へのコイン等の異物混入防止の対策をとっていなかったため、球抜き機構内に異物が混入して故障を起こしかねないという虞もあった。
【０００８】
本発明は、以上のような従来技術が有する問題点に着目してなされたものであり、開閉部材を円滑に開放位置に移動させることができると共に確実に開放位置で保持することができ、また、遊技店毎に異なる玉箱が導入されても問題なく対応することができ、さらに、コイン等の異物混入防止の対策をとることにより故障の要因を取り除くことができる遊技機の球貯留皿を提供することを目的としている。
【課題を解決するための手段】
【０００９】
前述した目的を達成するための本発明の要旨とするところは、以下の各項の発明に存する。  
［１］遊技球を貯留し底面部（１２）に遊技球を抜き取る球抜き穴（１３）が形成された受け皿（１１）と、該受け皿（１１）の下側に配設されて前記球抜き穴（１３）を開閉する開閉装置（２０）とを備え、該開閉装置（２０）は、前記受け皿（１１）の底面部（１２）下方に配されて前記球抜き穴（１３）を開閉可能な開閉部材（２１）と、該開閉部材（２１）を開閉方向へ摺動自在に収納すると共に、該開閉部材（２１）が開放位置にある時に前記球抜き穴（１３）に連通する開口部（３２）が形成された収納部材（３０）と、該収納部材（３０）内にて前記開閉部材（２１）を閉鎖方向へ付勢する付勢手段（４０）とを有して成る遊技機（１）の球貯留皿（１０）において、
前記受け皿（１１）の底面部（１２）の下方裏面側に、前記開閉部材（２１）の開閉方向に延びて該開閉部材（２１）の上部が摺接しつつ案内されるガイド部材（１４）を設け、
前記開閉部材（２１）の下部に突出部（２３）を設ける一方、前記収納部材（３０）の底面側に、前記突出部（２３）が摺接しつつ開放方向に向かって少なくとも途中までは上方に案内される傾斜部（３４）を設けると共に、該傾斜部（３４）の末端側に下方へ凹む段部（３５）を形成し、
前記開閉部材（２１）を前記付勢手段（４０）の付勢力に抗して開放方向に移動させると、前記突出部（２３）が前記傾斜部（３４）に摺接しつつ案内されると共に、前記開閉部材（２１）全体が前記ガイド部材（１４）に沿って案内された後、前記突出部（２３）が前記段部（３５）に落ち込み係合することにより、前記開閉部材（２１）が前記付勢手段（４０）の付勢力に抗して開放位置に保持されることを特徴とする遊技機（１）の球貯留皿（１０）。
【００１０】
［２］遊技球を貯留し底面部（１２）に遊技球を抜き取る球抜き穴（１３）が形成された受け皿（１１）と、該受け皿（１１）の下側に配設されて前記球抜き穴（１３）を開閉する開閉装置（２０）とを備え、該開閉装置（２０）は、前記受け皿（１１）の底面部（１２）下方に配されて前記球抜き穴（１３）を開閉可能な開閉部材（２１）と、該開閉部材（２１）を開閉方向へ摺動自在に収納すると共に、該開閉部材（２１）が開放位置にある時に前記球抜き穴（１３）に連通する開口部（３２）が形成された収納部材（３０）と、該収納部材（３０）内にて前記開閉部材（２１）を閉鎖方向へ付勢する付勢手段（４０）とを有して成る遊技機（１）の球貯留皿（１０）において、
前記受け皿（１１）の底面部（１２）の下方裏面側に、前記開閉部材（２１）の開閉方向に延びて該開閉部材（２１）の上部が摺接しつつ案内されるガイド部材（１４）を設け、
前記開閉部材（２１）に係止部（２４）を設ける一方、前記収納部材（３０）に前記係止部（２４）が係脱可能な被係合部（３６）を設け、
前記開閉部材（２１）を前記付勢手段（４０）の付勢力に抗して開放方向に移動させると、前記開閉部材（２１）全体が前記ガイド部材（１４）に沿って案内された後、前記係止部（２４）が前記被係合部（３６）に係合することにより、前記開閉部材（２１）が前記付勢手段（４０）の付勢力に抗して開放位置に保持されることを特徴とする遊技機（１）の球貯留皿（１０）。
【００１１】
［３］遊技球を貯留し底面部（１２）に遊技球を抜き取る球抜き穴（１３）が形成された受け皿（１１）と、該受け皿（１１）の下側に配設されて前記球抜き穴（１３）を開閉する開閉装置（２０）とを備え、該開閉装置（２０）は、前記受け皿（１１）の底面部（１２）下方に配されて前記球抜き穴（１３）を開閉可能な開閉部材（２１）と、該開閉部材（２１）を開閉方向へ摺動自在に収納すると共に、該開閉部材（２１）が開放位置にある時に前記球抜き穴（１３）に連通する開口部（３２）が形成された収納部材（３０）と、該収納部材（３０）内にて前記開閉部材（２１）を閉鎖方向へ付勢する付勢手段（４０）とを有して成る遊技機（１）の球貯留皿（１０）において、
前記受け皿（１１）の底面部（１２）の下方裏面側に、前記開閉部材（２１）の開閉方向に延びて該開閉部材（２１）の上部が摺接しつつ案内されるガイド部材（１４）を設け、
前記開閉部材（２１）の下部に突出部（２３）を設ける一方、前記収納部材（３０）の底面側に、前記突出部（２３）が摺接しつつ開放方向に向かって少なくとも途中までは上方に案内される傾斜部（３４）を設けると共に、該傾斜部（３４）の末端側に下方へ凹む段部（３５）を形成し、
前記開閉部材（２１）に係止部（２４）を設ける一方、前記収納部材（３０）に前記係止部（２４）が係脱可能な被係合部（３６）を設け、
前記開閉部材（２１）を前記付勢手段（４０）の付勢力に抗して開放方向に移動させると、前記突出部（２３）が前記傾斜部（３４）に摺接しつつ案内されると共に、前記開閉部材（２１）全体が前記ガイド部材（１４）に沿って案内された後、前記突出部（２３）が前記段部（３５）に落ち込み係合すると共に、前記係止部（２４）が前記被係合部（３６）に係合することにより、前記開閉部材（２１）が前記付勢手段（４０）の付勢力に抗して開放位置に保持されることを特徴とする遊技機（１）の球貯留皿（１０）。
【００１２】
［４］前記被係合部（３６）に、前記係止部（２４）を離脱させる方向へ案内するための傾斜（３６ａ）を設けたことを特徴とする［２］または［３］に記載の遊技機（１）の球貯留皿（１０）。
【００１３】
［５］前記開閉部材（２１）の下部のうち、前記突出部（２３）が前記傾斜部（３４）の最大高さ位置に乗り上げた時に前記収納部材（３０）の底面側に当接する部位に、重なり高さを減じるための傾斜（２８）を設けたことを特徴とする［１］または［３］に記載の遊技機（１）の球貯留皿（１０）。
【００１４】
［６］前記収納部材（３０）の上部にて前記開口部（３２）の周辺に、前記球抜き穴（１３）と前記開口部（３２）との隙間からの異物混入を防ぐための障壁部（３８）を設けたことを特徴とする［１］，［２］，［３］，［４］または［５］に記載の遊技機（１）の球貯留皿（１０）。
【００１５】
［７］前記障壁部（３８）の少なくとも一部は、前記収納部材（３０）の上部を前記受け皿（１１）の底面部（１２）の下方裏面側に取り付けるためのネジ止め部（３１）から成ることを特徴とする［６］に記載の遊技機（１）の球貯留皿（１０）。
【００１６】
［８］前記開閉部材（２１）にて前記開口部（３２）に位置する裏面側に、該裏面側と前記開口部（３２）との隙間からの異物混入を防ぐための障壁部（２９）を設けたことを特徴とする［１］，［２］，［３］，［４］，［５］，［６］または［７］に記載の遊技機（１）の球貯留皿（１０）。
【００１７】
［９］前記開閉部材（２１）に、前記収納部材（３０）の外側に延出して外部からの操作力を受け入れるノブ（２５）を設け、
前記ノブ（２５）を、前記開閉部材（２１）の開閉方向、および前記開閉部材（２１）が開放位置に保持された状態から離脱する係合解除方向へ移動可能に配したことを特徴とする［１］，［２］，［３］，［４］，［５］，［６］，［７］または［８］に記載の遊技機（１）の球貯留皿（１０）。
【００１８】
前記本発明は、次のように作用する。  
前記［１］に記載の遊技機（１）の球貯留皿（１０）によれば、受け皿（１１）に貯留された遊技球を抜き取るには、開閉装置（２０）の開閉部材（２１）によって、通常は閉鎖されている受け皿（１１）の底面部（１２）にある球抜き穴（１３）を開放すれば良い。
【００１９】
すなわち、開閉部材（２１）を閉鎖位置に付勢する付勢手段（４０）の付勢力に抗して開放方向に移動させると、開閉部材（２１）の下部にある突出部（２３）が収納部材（３０）の底面側にある傾斜部（３４）に摺接しつつ案内され、かつ開閉部材（２１）全体が、受け皿（１１）の底面部（１２）の下方裏面側にあるガイド部材（１４）に沿って案内される。これにより、開閉部材（２１）を円滑に開放位置に移動させることができる。
【００２０】
開閉部材（２１）が開放方向に案内された後、開放位置に到達すると、当該移動に伴って開閉部材（２１）の突出部（２３）が収納部材（３０）の傾斜部（３４）の末端側にある段部（３５）に落ち込み係合することで、開閉部材（２１）が付勢手段（４０）の付勢力に抗して開放位置に保持される。
【００２１】
前記［２］に記載の遊技機（１）の球貯留皿（１０）によれば、開閉部材（２１）を付勢手段（４０）の付勢力に抗して開放方向に移動させると、開閉部材（２１）全体が、受け皿（１１）の底面部（１２）の下方裏面側にあるガイド部材（１４）に沿って案内される。これにより、開閉部材（２１）を円滑に開放位置に移動させることができる。
【００２２】
開閉部材（２１）が開放方向に案内された後、開放位置に到達すると、当該移動に伴って開閉部材（２１）にある係止部（２４）が収納部材（３０）にある被係合部（３６）に係合することで、開閉部材（２１）が付勢手段（４０）の付勢力に抗して開放位置に保持される。これにより、開閉部材（２１）がずれて移動することがなく、確実に開放位置に保持することができる。
【００２３】
前記［３］に記載の遊技機（１）の球貯留皿（１０）によれば、開閉部材（２１）を前記付勢手段（４０）の付勢力に抗して開放方向に移動させると、開閉部材（２１）の突出部（２３）が収納部材（３０）の傾斜部（３４）に摺接しつつ案内されると共に、開閉部材（２１）全体がガイド部材（１４）に沿って案内された後、前記突出部（２３）が前記段部（３５）に落ち込み係合すると共に、開閉部材（２１）の係止部（２４）が収納部材（３０）の被係合部（３６）に係合する。これにより、さらに円滑に開閉部材（２１）を開放位置まで移動させることができ、いっそう確実に開閉部材（２１）を開放位置に保持することができる。
【００２４】
前記［４］に記載の遊技機（１）の球貯留皿（１０）によれば、被係合部（３６）に、係止部（２４）を離脱させる方向へ案内するための傾斜（３６ａ）を設けたことにより、開閉部材（２１）を開放位置から解除する時には、被係合部（３６）にある傾斜（３６ａ）によって、係止部（２４）を被係合部（３６）から離脱させやすくなり、開閉部材（２１）を円滑に開放位置から解除することができる。
【００２５】
前記［５］に記載の遊技機（１）の球貯留皿（１０）によれば、開閉部材（２１）の下部のうち、突出部（２３）が傾斜部（３４）の最大高さ位置に乗り上げた時に収納部材（３０）の底面側に当接する部位に、重なり高さを減じるための傾斜（２８）を設けたから、開閉部材（２１）と受け皿（１１）との間のスペースを大きくとる必要がなくなり、遊技機島（１００）の天板（１０１）と球貯留皿（１０）の間のスペースを確保することができるので、玉箱（１０２）を無理なく置くことができる。
【００２６】
前記［６］に記載の遊技機（１）の球貯留皿（１０）によれば、収納部材（３０）の上部にて開口部（３２）の周辺に、球抜き穴（１３）と開口部（３２）との隙間からの異物混入を防ぐための障壁部（３８）を設けたから、開口部（３２）が開放位置にある時に球抜き穴（１３）と開口部（３２）よりコイン等の異物を混入しようとしても、障壁部（３８）に接触するので、球貯留皿（１０）内部へのコイン等の異物の混入を防止することができる。
【００２７】
具体的には例えば前記［７］に記載したように、障壁部（３８）の少なくとも一部を、収納部材（３０）の上部を受け皿（１１）の底面部（１２）の下方裏面側に取り付けるためのネジ止め部（３１）をそのまま利用した場合には、より構成を簡易化することによりコストを低減することが可能となる。
【００２８】
前記［８］に記載の遊技機（１）の球貯留皿（１０）によれば、開閉部材（２１）にて開口部（３２）に位置する裏面側に、該裏面側と開口部（３２）との隙間からの異物混入を防ぐための障壁部（２９）を設けたことにより、開口部（３２）の裏面側よりコイン等の異物が混入することを防止することができる。
【００２９】
前記［９］に記載の遊技機（１）の球貯留皿（１０）によれば、開閉部材（２１）に、収納部材（３０）の外側に延出して外部からの操作力を受け入れるノブ（２５）を設けたから、該ノブ（２５）を介して開閉部材（２１）を、その開閉方向、および開放位置に保持された状態から離脱する係合解除方向へ容易に移動させることができる。
【発明の効果】
【００３０】
本発明に係る遊技機の球貯留皿によれば、開閉部材を円滑に開放位置に移動させることができると共に、開閉部材を開放位置に移動させる動作に伴って、該開閉部材を付勢手段の付勢力に抗して開放位置に保持された状態とすることができるから、開閉部材がずれて移動することがなく、確実に開放位置に保持した状態で使用することができる。さらに、コイン等の異物混入防止の対策をとることにより、故障の要因を取り除くことができる
【発明を実施するための最良の形態】
【００３１】
以下、図面に基づき、本発明を代表する実施の形態を説明する。  
図１〜図１０は、本発明の実施の形態に係る遊技機１を示している。  
図１は、本実施の形態に係る球貯留皿１０を分解して示す斜視図であり、図２は、球貯留皿１０を装備した遊技機１の正面図であり、図３は、球貯留皿１０を分解して別の角度から示す斜視図である。
【００３２】
本実施の形態に係る球貯留皿１０は、図２に示すように、遊技機１の正面下部に配設される下受け皿１１に構成されるものである。ここで遊技機１は、発射された遊技球が移動し遊技を進行させるための各種入賞口等が配された遊技領域を形成する遊技盤２と、遊技領域の前面側を覆うガラス板３が固定され周囲に装飾ランプ・ＬＥＤやスピーカー等を取り付けたガラス枠４等を有している。
【００３３】
ガラス枠４の下方には、遊技球を貯留するための上受け皿５と、該上受け皿５から溢れた遊技球を受け入れる下受け皿１１と、遊技者が遊技球の発射操作を行うためのハンドル６等が設けられている。ハンドル６の操作により発射された遊技球が遊技領域上の各種入賞口に入賞すると、各入賞口毎に割り当てられた所定数の賞球が前記上受け皿５に払い出される。なお、球貯留皿１０は、その下受け皿１１の開口と後述のノブ２５だけ外部に露出する状態で、遊技機１の正面下部に装着されている外カバー体７により覆われている。
【００３４】
本発明の根幹を成す球貯留皿１０は、図１，図３に示すように、遊技球を貯留し底面部１２に遊技球を抜き取る球抜き穴１３が形成された前記下受け皿（受け皿）１１と、該下受け皿１１の下側に配設されて前記球抜き穴１３を開閉する開閉装置２０とを備えている。開閉装置２０は、下受け皿１１の底面部１２下方に配されて球抜き穴１３を開閉可能な開閉部材２１と、該開閉部材２１を開閉方向へ摺動自在に収納すると共に、該開閉部材２１が開放位置にある時に前記球抜き穴１３に連通する開口部３２が形成された収納部材３０と、該収納部材３０内にて開閉部材２１を閉鎖方向へ付勢する付勢手段であるコイルばね４０とを有して成る。
【００３５】
下受け皿１１の底面部１２の下方裏面側には、図７，図８に示すように、開閉部材２１の開閉方向（図中で左右方向に一致。）に延びて、該開閉部材２１の上部が摺接しつつ案内されるガイド部材１４が設けられている。ガイド部材１４は、図８に示すように、互いに平行に直線状に並んで延びるように突設されたリブから成る。各リブ状のガイド部材１４は、図７に示すように、それぞれ開閉部材２１の閉鎖方向に位置する始端側（図中で右端）から開放方向に位置する終端側（図中で左端）にかけて漸次上方へと傾斜し、終端側には、摺接する開閉部材２１の開放方向上部を上方より下方へと誘導するように湾曲したアール部１４ａが形成されている。
【００３６】
収納部材３０は、図１，図３に示すように、上面側が開口した箱枠状に形成されており、その側面周囲に、前記下受け皿１１の底面部１２の下方裏面側に取り付けるためのネジ止め部３１が複数設けられている。収納部材３０は、開閉部材２１を収納した状態で、各ネジ止め部３１を介して前記下受け皿１１の底面部１２の下方裏面側にネジ止めされ、前記球抜き穴１３の下方に重なる位置には、該球抜き穴１３に合致して連通する開口部３２が形成されている。なお、収納部材３０の開放方向における前壁上端には、前記ガイド部材１４が嵌合する取り付け時の位置決め用溝３７が一対設けられている。
【００３７】
開閉部材２１は、図１，図３に示すように、前記収納部材３０内にて開閉方向に移動可能に収められ、前記球抜き穴１３と開口部３２との間に介在する上面部２１ａを有している。上面部２１ａは、図４（ａ）に示す閉鎖位置にある時は、球抜き穴１３および開口部３２に重なり塞いだ状態となり、図４（ｃ）に示す開放位置にある時は、球抜き穴１３および開口部３２に重ならずに開いた状態となる。
【００３８】
図３に示すように、開閉部材２１の開放方向における上面部２１ａの下方裏側には、コイルばね４０の一端を内嵌させる溝形の凹部２２が形成されており、一方、収納部材３０の同じく開放方向における前壁内側には、コイルばね４０の一端を外嵌させるピン部３３が形成されている。凹部２２とピン部３３との間に縮設するコイルばね４０によって、開閉部材２１は、閉鎖位置に通常は維持されるように付勢されている。
【００３９】
図３，図７に示すように、開閉部材２１の開放方向における前壁下端（下部）の両側には、それぞれ下向きの突出部２３，２３が一対設けられている。一方、収納部材３０の同じく開放方向における底面の両側には、前記各突出部２３がそれぞれ摺接しつつ開放方向に向かって少なくとも途中までは上方に案内される傾斜部３４が設けられている。詳しく言えば傾斜部３４は、漸次上方へ傾斜する登り傾斜面３４ａと、その最大高さ位置より僅かに下方へ傾斜する降り傾斜面３４ｂとから成る。また、傾斜部３４の末端側である降り傾斜面３４ｂの先には、下方へほぼ鉛直に凹む段部３５が形成されている。
【００４０】
図７に示すように、開閉部材２１をコイルばね４０の付勢力に抗して開放方向に移動させると、前記突出部２３が前記傾斜部３４に摺接しつつ案内されると共に、開閉部材２１全体がガイド部材１４に沿って案内された後、前記突出部２３が前記段部３５に落ち込み係合することにより、開閉部材２１がコイルばね４０の付勢力に抗して開放位置に保持されるように設定されている。
【００４１】
さらに、図１，図３，図７に示すように、開閉部材２１の開放方向における前壁上端の略中央には、下向きのフック状に突出する係止部２４が設けられている。一方、収納部材３０の同じく開放方向における前壁上端には、前記係止部２４が係脱可能な被係合部３６が設けられている。詳しく言えば係止部２４には、そのフック形状の内側に補強用リブ２４ａが形成されており、被係合部３６には、係止部２４が係合する時に補強用リブ２４ａを回避するための凹溝３６ｂが略中央に形成されている。
【００４２】
図７に示すように、開閉部材２１をコイルばね４０の付勢力に抗して開放方向に移動させると、前記突出部２３が前記傾斜部３４に摺接しつつ案内されると共に、開閉部材２１全体がガイド部材１４に沿って案内された後、前述した突出部２３と段部３５との係合とは別に、前記係止部２４が前記被係合部３６に係合することにより、なおさら確実に開閉部材２１がコイルばね４０の付勢力に抗して開放位置に保持されるように設定されている。また、被係合部３６には、係止部２４を離脱させる方向へ案内するための傾斜３６ａが設けられている。
【００４３】
開閉部材２１の正面方向の側壁外側には、図１，図３に示すように、収納部材３０の外側まで延出して外部からの操作力を受け入れるノブ２５が設けられている。ノブ２５は、開閉部材２１の開閉方向、および開閉部材２１が開放位置に保持された状態から離脱する係合解除方向である上方へと移動可能に配されている。ここで開閉部材２１は、収納部材３０に収納された状態で、収納部材３０と下受け皿１１の底面部１２との間の空隙を利用して、ある程度上下方向へも移動可能に配されており、開放位置に保持されている開閉部材２１を、ノブ２５を介して係合解除方向である上方へと移動させることで、前述した突出部２３と段部３５との係合、および係止部２４と被係合部３６との係合が、ぞれぞれ同期して解除されるように設定されている。
【００４４】
詳しく言えばノブ２５は、図１，図３に示すように、左右方向の幅が長く高さ方向に厚みのある操作部２６と、該操作部２６の後面側より折曲して前記上面部２１ａの側壁上端縁に連なる連結部２７とから成る。操作部２６にて、閉鎖方向の一端側に中央寄りに傾斜した傾斜面２６ａが形成され、開放方向の他端側は略中央付近まで緩やかに湾曲した湾曲面２６ｂが形成され、傾斜面２６ａと湾曲面２６ｂとの間には湾曲して凹む指宛面２６ｃが形成されている。傾斜面２６ａ、湾曲面２６ｂ、指宛面２６ｃは、何れも指を掛けやすくするための形状である。また、操作部２６は、係合解除方向である上方へと持ち上げ操作する際に指を掛けやすいように前後方向にも所定幅を有している。
【００４５】
図７に示すように、開閉部材２１の下部のうち、前記突出部２３が前記傾斜部３４の最大高さ位置に乗り上げた時（図７（ｂ）参照）に収納部材３０の底面側に当接する部位、すなわち収納部材３０両側壁の閉鎖方向における下端には、重なり高さを減じるための傾斜２８が設けられている。
【００４６】
図９に示すように、開閉部材２１にて前記収納部材３０の開口部３２に位置する上面部２１ａ裏面側には、該裏面側と前記開口部３２との隙間からコイン等の異物混入を防ぐための障壁部２９が設けられている。詳しく言えば障壁部２９は、開口部３２の直径方向かつ開閉部材２１の開閉方向に直線状に延びるリブから成る。開口部３２の存在により、閉鎖位置にある上面部２１ａの裏面側にコイン等の扁平形状の異物が重なるように沿うことができず、上面部２１ａの裏面側と開口部３２の周縁との隙間に侵入しないように設定されている。なお、図示省略したが開口部３２の周縁には、開閉部材２１の開閉時に障壁部２９を挿通させるための細幅状の凹溝が形成されている。
【００４７】
また、図８に示すように、収納部材３０の上端縁（上部）にて開口部３２の周辺には、前記球抜き穴１３と開口部３２との隙間からの異物混入を防ぐための障壁部３８が設けられている。詳しく言えば障壁部３８は、開口部３２の周囲を囲む収納部材３０の上端縁のうち、後壁上端縁の上にさらに突設したフランジ状の障壁部３８ａと、両側壁上端縁の上にさらに突設したフランジ状の障壁部３８ｂ，３８ｃとから成る。障壁部３８の存在により、開閉部材２１が開放位置にある時に球抜き穴１３と開口部３２との隙間から、該障壁部３８を越えて内部までコイン等の扁平形状の異物が侵入できないように設定されている。
【００４８】
さらに、障壁部３８ａと障壁部３８ｂとの間にある前記ネジ止め部３１、および障壁部３８ｂと障壁部３８ｃとの間にある前記ネジ止め部３１も、それぞれ障壁部３８と同様に、前記球抜き穴１３と開口部３２との隙間からの異物混入を防ぐための障壁部としての役割を果たすものとなっている。
【００４９】
以下、本実施の形態に係る球貯留皿１０の作用について説明する。  
開閉部材２１にあるノブ２５に対して何ら操作を行わない通常時には、図５〜図７の各（ａ）に示すように、開閉部材２１は、コイルばね４０の付勢力により下受け皿１１の球抜き穴１３を塞ぐ閉鎖位置に保持されている。かかる状態では、下受け皿１１に遊技球を貯留することができる。下受け皿１１に貯留されている遊技球を抜き取るには、開閉部材２１により閉鎖されている下受け皿１１の球抜き穴１３を開放すれば良い。
【００５０】
図４（ａ）〜（ｃ）に示すように、ノブ２５における操作部２６の傾斜面２６ａないし指宛面２６ｃに指を掛け、ノブ２５を介して開閉部材２１を開放方向（図中で左方向）へ押す操作を行うと、開閉部材２１は、コイルばね４０の付勢力に抗して開放方向に移動する。この時、図７（ａ）〜（ｃ）に示すように、開閉部材２１の下部にある突出部２３が収納部材３０の底面側にある傾斜部３４に摺接しつつ案内され、かつ開閉部材２１全体が、下受け皿１１の底面部１２の下方裏面側にあるガイド部材１４に沿って案内される。
【００５１】
この時、開閉部材２１の突出部２３が収納部材３０の傾斜部３４に摺接し、かつ開閉部材２１の上部がガイド部材１４に摺接することで、開閉部材２１は開放方向に案内されつつ前端側が漸次上方へと移動し、開閉部材２１の係止部２４の下端が、収納部材３０の被係合部３６の上端を乗り越えた後、ガイド部材１４の終端側にあるアール部１４ａに沿うことにより、開閉部材２１の前端側が今度は逆に上方から下方へと誘導されて開放位置に至る。
【００５２】
このように開閉部材２１が開放方向に案内された後、図７（ｄ）に示すように、開放位置に到達すると、当該移動に伴って開閉部材２１の突出部２３が収納部材３０の傾斜部３４の末端側にある段部３５に落ち込み係合することで、開閉部材２１がコイルばね４０の付勢力に抗して開放位置に保持される。
【００５３】
しかも、図７（ｄ）に示すように、開放位置に到達した時点で、前述した突出部２３と段部３５との係合とは別に、開閉部材２１にある係止部２４が収納部材３０にある被係合部３６に係合することにより、開閉部材２１がずれて移動することがなく、確実に開放位置に保持することができる。かかる状態では、下受け皿１１の球抜き穴１３と収納部材３０の開口部３２とが連通し、下受け皿１１に貯留されている遊技球を抜き取ることができる。なお、抜き取った遊技球は、図１０において遊技機島１００の天板１０１に載置している玉箱１０２に導入される。
【００５４】
その後、再び下受け皿１１の球抜き穴１３を閉鎖するためには、例えば図４（ｃ）において、ノブ２５の操作部２６を係合解除方向である上方へ持ち上げる操作を行えば良い。ノブ２５を介して開閉装置２０が上方へ移動すると、突出部２３が段部３５から上方へ離脱すると共に、係止部２４も被係合部３６から上方へ離脱する。特に被係合部３６には、係止部２４を離脱させる方向へ案内するための傾斜３６ａがあるので、無理な力を必要とせずに係止部２４を被係合部３６から離脱させることができる。
【００５５】
このように開閉部材２１と収納部材３０との係合関係が解除されると、コイルばね４０の付勢力により開閉部材２１は今度は閉鎖方向へ、突出部２３が傾斜部３４に摺接しつつ案内され、かつ開閉部材２１全体がガイド部材１４に沿って案内され、元の閉鎖位置に戻るようになっている。これにより再び、下受け皿１１に遊技球を貯留することができる状態となる。
【００５６】
また、本実施の形態に係る球貯留皿１０によれば、図７に示すように、開閉部材２１の下部のうち、突出部２３が傾斜部３４の最大高さ位置に乗り上げた時（図７（ｂ）参照）に収納部材３０の底面側に当接する部位、すなわち収納部材３０両側壁の閉鎖方向における下端に、ガイド部材１４とは逆方向に傾斜する傾斜２８を設けたので、開閉部材２１を移動させる際、開閉部材２１がガイド部材１４の傾斜と同じ方向に傾斜する。
【００５７】
これにより、開閉装置２０と収納部材３０との重なり高さを極力減らすことができ、開閉部材２１と下受け皿１１（ガイド部材１４）との間のスペースを大きくとる必要がなくなり、図１０において、遊技機島１００の天板１０１と下受け皿１１（球貯留皿１０）との間に十分な高さ方向のスペースを確保することができる。従って、天板１０１上に玉箱１０２を無理なく置くことが可能となる。
【００５８】
また、図８に示すように、収納部材３０の上端縁（上部）にて開口部３２の周辺には、障壁部３８ａ，３８ｂ，３８ｃが突設されているので、開口部３２が開放位置にある時に球抜き穴１３と開口部３２よりコイン等の異物を混入しようとしても、障壁部３８ａ，３８ｂ，３８ｃに接触し、球貯留皿１０内部へのコイン等の異物の混入を防止することができる。また、障壁部３８ａと障壁部３８ｂとの間にある前記ネジ止め部３１、および障壁部３８ｂと障壁部３８ｃとの間にある前記ネジ止め部３１も、それぞれ障壁部３８と同様に、球抜き穴１３と開口部３２との隙間からの異物混入を防ぐ役割を果たしている。
【００５９】
さらに、図９に示すように、開閉部材２１にて開口部３２に位置する裏面側に、該裏面側と開口部３２との隙間からの異物混入を防ぐための障壁部２９を設けたことにより、閉鎖位置にある上面部２１ａの裏面側にコイン等の扁平形状の異物が重なるように沿うことができず、上面部２１ａの裏面側と開口部３２の周縁との隙間からコイン等の異物が混入することを防止することができる。
【００６０】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、前記実施の形態では、開閉部材２１を閉鎖位置に保持するための構成として、突出部２３と段部３５との係合関係と、係止部２４と被係合部３６との係合関係の２つを備えるようにしているが、他に例えば、突出部２３と段部３５との係合関係だけ、あるいは係止部２４と被係合部３６との係合関係だけを備えるように構成しても良い。
【図面の簡単な説明】
【００６１】
【図１】本発明の実施の形態に係る球貯留皿を分解して示す斜視図である。
【図２】本発明の実施の形態に係る球貯留皿を装備した遊技機を示す正面図である。
【図３】本発明の実施の形態に係る球貯留皿を分解して別の角度から示す斜視図である。
【図４】本発明の実施の形態に係る球貯留皿において、開閉部材が閉鎖位置から開放位置に移動する状態を説明する斜視図である。
【図５】本発明の実施の形態に係る球貯留皿において、開閉部材が閉鎖位置から開放位置に移動する状態を説明する平面図である。
【図６】本発明の実施の形態に係る球貯留皿の開閉装置において、開閉部材が閉鎖位置から開放位置に移動する状態を説明する裏面図である。
【図７】本発明の実施の形態に係る球貯留皿において、開閉部材が閉鎖位置から開放位置に移動する状態を説明する縦断面図である。
【図８】本発明の実施の形態に係る球貯留皿において、収納部材にある障壁部により、球抜き穴と開口部との隙間からコイン等の異物が侵入できない様子を示す作用説明図である。
【図９】本発明の実施の形態に係る球貯留皿の開閉装置において、開閉部材にある障壁部により、開閉部材の裏面側と開口部との隙間からコイン等の異物が侵入できない様子を示す作用説明図である。
【図１０】本発明の実施の形態に係る球貯留皿を装備した遊技機を含む遊技機島を示す縦断面図である。
【符号の説明】
【００６２】
１…遊技機
２…遊技盤
３…ガラス板
４…ガラス枠
５…上受け皿
６…ハンドル
７…外カバー体
１０…球貯留皿
１１…下受け皿
１２…底面部
１３…球抜き穴
１４…ガイド部材
１４ａ…アール部
２０…開閉装置
２１…開閉部材
２１ａ…上面部
２２…凹部
２３…突出部
２４…係止部
２４ａ…補強用リブ
２５…ノブ
２６…操作部
２６ａ…傾斜面
２６ｂ…湾曲面
２６ｃ…指宛面
２７…連結部
２８…傾斜
２９…障壁部
３０…収納部材
３１…ネジ止め部
３２…開口部
３３…ピン部
３４…傾斜部
３５…段部
３６…被係合部
３６ａ…傾斜
３６ｂ…凹溝
３７…位置決め用溝
３８…障壁部
４０…コイルばね
１００…遊技機島
１０１…天板
１０２…玉箱
【図１】
2008005945.tif 000003
【図２】
2008005945.tif 000004
【図３】
2008005945.tif 000005
【図４】
2008005945.tif 000006
【図５】
2008005945.tif 000007
【図６】
2008005945.tif 000008
【図７】
2008005945.tif 000009
【図８】
2008005945.tif 000010
【図９】
2008005945.tif 000011
【図１０】
2008005945.tif 000012